(57)【要約】【課題】室内の天井に設けられ、該室内にイオンを供給する換気装置において、イオンを室内に充分に拡散させるとともに、換気及びイオンの供給を効率的に行う。【解決手段】イオンを供給する換気装置１において、外気を吸気する外気ダクト３ａが接続されたケーシング２と、このケーシング２に形成され、外気を室内に供給する給気口３ｂと、ケーシング２に設けられた吸込口４ａ及び吹出口５ｂと、ケーシング２内に設けられ、室内の空気を前記吸込口４ａから吸込ませるとともに、吹出口５ｂから吹出させるシロッコファン４ｂと、を備え、ケーシング２内には、吸込口４ａと吹出口５ｂとの間にイオン発生装置５ａが設けられるとともに、外気ダクト３ａから吸気されて給気口３ｂから室内に供給される外気と吸込口４ａから吸込まれて吹出口５ｂから室内に吹出される空気とを隔てる仕切り６，７を設け、給気口３ｂを、前記吹出口５ｂに隣接して設ける。【選択図】図１
2006322619.tif 000002
【特許請求の範囲】
【請求項１】
天井に設けられ、室内にイオンを供給する換気装置において、
外気を吸気する外気ダクトが接続されたケーシングと、
このケーシングに形成され、前記外気ダクトによって吸気された外気を室内に供給する給気口と、
前記ケーシングに設けられた吸込口及び吹出口と、
前記ケーシング内に設けられ、室内の空気を前記吸込口から吸込ませるとともに、前記吹出口から吹出させる送風手段と、を備え、
前記ケーシング内には、前記吸込口と吹出口との間にイオン発生装置が設けられるとともに、前記外気ダクトから吸気されて前記給気口から室内に供給される外気と前記吸込口から吸込まれて前記吹出口から室内に吹出される空気とを隔てる仕切りが設けられ、
前記給気口は、前記吹出口に隣接していることを特徴とする換気装置。
【請求項２】
前記換気装置は、前記天井から下方に突出して水平に設けられたプレートを備え、
前記給気口、吸込口、及び吹出口は、前記天井と前記プレートとの間に設けられていることを特徴とする請求項１に記載の換気装置。
【請求項３】
前記仕切りは、前記ケーシングと前記プレートとを連結するとともに、前記給気口、吸込口、及び吹出口をそれぞれ区画していることを特徴とする請求項２に記載の換気装置。
【請求項４】
前記給気口及び吹出口には、室内へ供給される空気を下方に誘導する誘導部が設けられていることを特徴とする請求項１〜３のいずれか一項に記載の換気装置。
【請求項５】
前記吹出口には、室内に吹出される空気の向き及び量を調整するフィンが設けられていることを特徴とする請求項１〜４のいずれか一項に記載の換気装置。
【請求項６】
前記送風手段は、シロッコファンであることを特徴とする請求項１〜５のいずれか一項に記載の換気装置。
【発明の詳細な説明】
【技術分野】
【０００１】
本発明は、室内の天井に設けられ、該室内にイオンを供給する換気装置に関する。
【背景技術】
【０００２】
近年、住宅室内の気密性向上及び建築材からの化学物質発生による空気汚染防止のため、室内の２４時間連続換気が義務付けられるようになり、換気扇とダクトとを使用した換気方法も一般的に普及するようになってきた。この２４時間連続換気を行う換気装置は、室内の空気を常時少量ずつ入れ替え、空気を常に同じ状態に維持するのが目的であるため、外気は殆ど人が感じないくらいの微小な風力で室内へと供給される。
【０００３】
一方、室内の空気の質を改善して室内環境を向上させる目的で、ダニの糞やカビ菌等の有害物質を除去するイオンを発生するイオン発生装置を、エアコンや空気清浄機等に組み込んだ機器も発売されている。このイオン発生装置から発生したイオンは、空気に触れると除去作用が機能した後に短期間で消滅してしまうため、イオンを常時室内に拡散した状態を維持するには、ファン等で発生させたある程度強い風によってイオンを送り出す必要がある。
【０００４】
ところで、上述した換気装置及びイオン発生装置は類似した機能を備えるため、運転コストや室内の見栄え等を考慮して、これらを一体化する技術が提案されている（特許文献１参照）。この換気装置では、換気装置の給気口にイオン発生装置を設けている。
【特許文献１】特開２００４−２８６３８４号公報
【発明の開示】
【発明が解決しようとする課題】
【０００５】
しかしながら、特許文献１の換気装置では、イオンを送り出す風力が小さい場合、イオンが室内に拡散される前に消滅しがちである。そこで、イオンを遠くに飛ばして室内に拡散させることを優先して、換気装置に設けられたファン等を強力なものにすると、室内が必要以上に換気される上に、換気装置を能力アップしたり（ファン等を作動するモータを大型にする等）、換気装置本体とダクトとの接続を変更する必要が生じてくる。
【０００６】
本発明の課題は、室内の天井に設けられ、該室内にイオンを供給する換気装置において、イオンを室内に充分に拡散させるとともに、換気及びイオンの供給を効率的に行うことである。
【課題を解決するための手段】
【０００７】
以上の課題を解決するため、請求項１に記載の発明は、例えば図１に示すように、天井Ｃ（図２参照）に設けられ、室内にイオンを供給する換気装置１において、
外気を吸気する外気ダクト３ａが接続されたケーシング２と、
このケーシング２に形成され、前記外気ダクト３ａによって吸気された外気を室内に供給する給気口３ｂと、
前記ケーシング２に設けられた吸込口４ａ及び吹出口５ｂと、
前記ケーシング２内に設けられ、室内の空気を前記吸込口４ａから吸込ませるとともに、前記吹出口５ｂから吹出させる送風手段（例えば、シロッコファン４ｂ）と、を備え、
前記ケーシング２内には、前記吸込口４ａと吹出口５ｂとの間にイオン発生装置５ａが設けられるとともに、前記外気ダクト３ａから吸気されて前記給気口３ｂから室内に供給される外気と前記吸込口４ａから吸込まれて前記吹出口５ｂから室内に吹出される空気とを隔てる仕切り６，７が設けられ、
前記給気口３ｂは、前記吹出口５ｂに隣接していることを特徴としている。
【０００８】
請求項１に記載の発明によれば、イオン発生装置５ａによって発生したイオンは、吸込口４ａから吸込まれ送風手段（例えば、シロッコファン４ｂ）によって室内に供給される空気に混ざり、吹出口５ｂから室内に吹出されるため、イオンを室内に充分に拡散することができる。また、外気が供給される給気口３ｂと、イオンが吹出される吹出口５ｂとが別々のため、イオン発生装置５ａ及び送風手段（例えば、シロッコファン４ｂ）を適宜作動させることにより、効率的に室内の換気及びイオンの供給ができる。さらに、ケーシング２内では給気口３ｂから供給される外気と吹出口５ｂから吹出される空気とが仕切り６，７によって隔てられている上に、給気口３ｂと吹出口５ｂとが隣接して設けられているため、給気口３ｂから供給された外気は吹出口５ｂから吹出された空気に巻き込まれ、外気が室内に拡散されるとともに外気ダクト３ａ内に負圧が発生するのを防ぐことができる。従って、換気装置１と外気ダクト３ａとの接続を変更しなくてすむ。
【０００９】
請求項２に記載の発明は、例えば図１，２に示すように、請求項１に記載の換気装置１において、前記換気装置１は、前記天井Ｃから下方に突出して水平に設けられたプレート２ａを備え、
前記給気口３ｂ、吸込口４ａ、及び吹出口５ｂは、前記天井Ｃと前記プレート２ａとの間に設けられていることを特徴としている。
【００１０】
請求項２に記載の発明によれば、室内からは給気口３ｂ、吸込口４ａ、及び吹出口５ｂが見えず、プレート２ａだけが見えるようになるため、天井Ｃの外観を損なうことを防ぐことができる。
【００１１】
請求項３の発明は、例えば図１，２に示すように、請求項２に記載の換気装置１において、前記仕切り６，７は、前記ケーシング２と前記プレート２ａとを連結するとともに、前記給気口３ｂ、吸込口４ａ、及び吹出口５ｂをそれぞれ区画していることを特徴としている。
【００１２】
請求項３に記載の発明によれば、ケーシング２とプレート２ａとは、仕切り６，７によって連結されており、この仕切り６，７は、給気口３ｂ、吸込口４ａ、及び吹出口５ｂをそれぞれ区画している。よって、プレート２ａと仕切り６，７によって、外気及び空気の流れに方向性を与え、室内の気流を安定したものとすることができる。また、ケーシング２の下部でそれぞれの空気が混ざるのを防ぐとともに、給気口３ｂから供給された新鮮な外気と吹出口５ｂから吹出された空気に混ざったイオンとが、ケーシング２の近傍で混ざることができる。従って、イオンを、消滅させずに室内の隅々まで拡散させることができる。
【００１３】
請求項４に記載の発明は、例えば図２に示すように、請求項１〜３のいずれか一項に記載の換気装置１において、前記給気口３ｂ及び吹出口５ｂには、室内へ供給される空気を下方に誘導する誘導部３ｃ，５ｃが設けられていることを特徴としている。
【００１４】
請求項４に記載の発明によれば、誘導部３ｃ，５ｃによって、給気口３ｂから供給される外気と、吹出口５ｂから吹出される空気及びイオンとを、室内の下方に拡散させることができる。
【００１５】
請求項５に記載の発明は、例えば図１に示すように、請求項１〜４のいずれか一項に記載の換気装置１において、前記吹出口５ｂには、室内に吹出される空気の向き及び量を調整するフィン５ｄが設けられていることを特徴としている。
【００１６】
請求項５に記載の発明によれば、フィン５ｄによって、吹出口５ｂから室内に吹出される空気の向き及び量を調整することができる。
【００１７】
請求項６に記載の発明は、例えば図１に示すように、請求項１〜５のいずれか一項に記載の換気装置１において、前記送風手段は、シロッコファン４ｂであることを特徴としている。
【００１８】
請求項６に記載の発明によれば、シロッコファン４ｂによって空気を容易にケーシング２内に吸込むとともに、室内へ吹出すことができる。
【発明の効果】
【００１９】
本発明によれば、イオンを室内に充分に拡散することができる。また、必要なときだけイオン発生装置及び送風手段を作動させればよいため、効率的に室内の換気及びイオンの供給ができる。さらに、換気装置と外気ダクトとの接続を変更しなくてすむ。
【発明を実施するための最良の形態】
【００２０】
以下、図を参照して本発明に係る換気装置１の第１の実施形態を詳細に説明する。
（第１の実施形態）
図１に示すように、換気装置１は、建物の全室内の換気を行うセントラル換気システムの一部であり、内気と外気との換気を行う大型の換気ユニット（図示せず）に連結された外気ダクト３ａを介して外気が送り込まれ、室内の換気を行うものである。この換気装置１は、室内の天井Ｃ（図２参照）に設けられており、ケーシング２と、このケーシング２に形成され外気を供給する給気口３ｂと、同じくケーシング２に形成された吸込口４ａ及び吹出口５ｂと、ケーシング２内に設けられたシロッコファン４ｂ及びイオン発生装置５ａと、同じくケーシング２内に設けられた仕切り６，７と、を備えている。
【００２１】
図１，２に示すように、ケーシング２は、下面に開口部２ｂ，２ｃ，２ｄが形成された略直方体の筐体であり、その内部は、仕切り６によってシロッコファン４ｂが設置された送風部４と、仕切り６，７によってイオン発生装置５ａが設置された空気通過部５と、同じく仕切り６，７によって外気が通過する外気通過部３と、に仕切られている。また、これらの仕切り６，７はケーシング２の下方に突出しており、それらの下端にプレート２ａが水平に設けられている。
【００２２】
外気通過部３は、仕切り６，７によって送風部４及び空気通過部５とは完全に隔てられている。また、外気通過部３を形成するケーシング２の上面には外気ダクト３ａが連結されている。ここで、従来の換気装置には外気ダクト３ａを一ヶ所にしか連結できない構成のものがあるが、そのような構成だと外気ダクト３ａの他方の連結先の位置関係等によっては外気ダクト３ａに無理な引きまわしが生じ、外気ダクト３ａに負担がかかる可能性がある。よって、図３に示すように、ケーシング２には、該ケーシング２を構成する複数の面に外気ダクト３ａ用の接続口２ｅ，２ｆ，２ｇがそれぞれ設けられており、これらのうちケーシング２の上面の接続口２ｇに外気ダクト３ａが連結されている。なお、使用されない接続口２ｅ，２ｆは、ふさぎ板２ｈ，２ｉによって塞がれている。
【００２３】
また、外気通過部３を形成するケーシング２の下面には開口部２ｂが形成されており、この開口部２ｂの下方にはケーシング２とプレート２ａとの間に給気口３ｂが形成されている。さらに、給気口３ｂには、給気口３ｂから室内へと供給される外気の向きを下方へと変えるための誘導部３ｃが設けられている。
【００２４】
送風部４を形成するケーシング２の下面には、シロッコファン４ｂの直下に開口部２ｃが形成されており、この開口部２ｃの下方にはケーシング２とプレート２ａとの間に吸込口４ａが形成されている。また、仕切り６には空気通過部５へと連通する仕切開口部６ａが形成されるとともに、シロッコファン４ｂの周囲にはシロッコファン４ｂの周面から送り出された空気を仕切開口部６ａへと誘導するハウジング４ｃが設置されている。室内の空気は、吸込口４ａから開口部２ｃを介して送風部４内のシロッコファン４ｂへと吸込まれ、シロッコファン４ｂの周面からハウジング４ｃによって仕切開口部６ａへと誘導され、この仕切開口部６ａを介して空気通過部５へと送り出される。
【００２５】
空気通過部５を形成するケーシング２の下面には、開口部２ｄが形成されており、この開口部２ｄの下方にはケーシング２とプレート２ａとの間に、給気口３ｂに隣接して吹出口５ｂが形成されている。また、吹出口５ｂには、吹出口５ｂから室内へと吹出される空気の向きを下方へと変えるための誘導部５ｃが設けられている。
【００２６】
空気通過部５には、ケーシング２及び仕切り６，８，９によって区画された空間があり、この空間内の仕切り９にイオン発生装置５ａが２つ設置されている。これらのイオン発生装置５ａは、誘電体と、この誘電体を挟んで対向する一対の内外電極と、印加手段と、を備えており、この印加手段によって内外電極に交流電圧を印加することによって正負イオンが発生する。イオン発生装置５ａから発生した正イオン及び負イオンは、仕切り９に形成された仕切り開口部９ａを介して、開口部６ａから吹出口５ｂへと流れる空気に混ざり、吹出口５ｂへと向かう。
【００２７】
正負イオンの発生について、詳しくは、放電により、空気中の酸素ないしは水分が電離によりエネルギーを受けてイオン化し、Ｈ＋（Ｈ２Ｏ）ｍ（ｍは任意の自然数）とＯ２−（Ｈ２Ｏ）ｎ（ｎは任意の自然数）を主体としたイオンを生成し、これらをシロッコファン４ｂにより室内に放出及び拡散させる。これらＨ＋（Ｈ２Ｏ）ｍ及びＯ２−（Ｈ２Ｏ）ｎは、浮遊菌の表面に付着し、化学反応して活性種であるＨ２Ｏ２又は・ＯＨを生成する。Ｈ２Ｏ２又は・ＯＨは、極めて強力な活性を示すため、これらにより、空気中の浮遊細菌を取り囲んで不活性化することができる。ここで、・ＯＨは活性種の１種であり、ラジカルのＯＨを示している。
【００２８】
正負のイオンは浮遊細菌の細胞表面で式（１）〜式（３）に示すように化学反応して、活性種である過酸化水素（Ｈ２Ｏ２）又は水酸基ラジカル（・ＯＨ）を生成する。ここで、式（１）〜式（３）において、ｍ，ｍ’，ｎ，ｎ’は任意の自然数である。
これにより、活性種の分解作用によって浮遊細菌が破壊される。従って、効率的に空気中の浮遊細菌を不活性化、殺菌することができる。
Ｈ＋（Ｈ２Ｏ）ｍ＋Ｏ２−（Ｈ２Ｏ）ｎ→・ＯＨ＋１／２Ｏ２＋（ｍ＋ｎ）Ｈ２Ｏ・・・（１）
Ｈ＋（Ｈ２Ｏ）ｍ＋Ｈ＋（Ｈ２Ｏ）ｍ’＋Ｏ２−（Ｈ２Ｏ）ｎ＋Ｏ２−（Ｈ２Ｏ）ｎ’→２・ＯＨ＋Ｏ２＋（ｍ＋ｍ’＋ｎ＋ｎ’）Ｈ２Ｏ・・・（２）
Ｈ＋（Ｈ２Ｏ）ｍ＋Ｈ＋（Ｈ２Ｏ）ｍ’＋Ｏ２−（Ｈ２Ｏ）ｎ＋Ｏ２−（Ｈ２Ｏ）ｎ’→Ｈ２Ｏ２＋Ｏ２＋（ｍ＋ｍ’＋ｎ＋ｎ’）Ｈ２Ｏ・・・（３）
以上のメカニズムにより、上記正負イオンの放出により、浮遊菌等の殺菌効果を得ることができる。
【００２９】
また、上記式（１）〜式（３）は、空気中の有害物質表面でも同様の作用を生じさせることができるため、活性種である過酸化水素（Ｈ２Ｏ２）又は水酸基ラジカル（・ＯＨ）が、有害物質を酸化若しくは分解して、ホルムアルデヒドやアンモニア等の化学物質を、二酸化炭素や、水、窒素等の無害な物質に変換することにより、実質的に無害化することが可能である。
従って、シロッコファン４ｂを駆動することにより、イオン発生装置５ａによって発生させた正イオンと負イオンとを室内に送り出すことができる。そして、これらの正イオンと負イオンとの作用により空気中のカビや菌の微生物を殺菌することができる。
その他、正イオンと負イオンとには、コクサッキーウィルス、ポリオウィルス等のウィルス類も不活性化する働きがあり、これらウィルスの混入による汚染が防止できる。
また、正イオンと負イオンとには、臭いの元となる分子を分解する働きがあることも確かめられており、空間の脱臭にも利用できる。
【００３０】
空気通過部５の下方のプレート２ａには、平板状のフィン５ｄが立設されている。このフィン５ｄは、送風部４から仕切開口部６ａを介して送り込まれた空気の向き及び量を調整して、吹出口５ｂから空気を均等に吹出すためのものである。
【００３１】
また、図２に示すように、ケーシング２とプレート２ａとの間に形成された給気口３ｂ、吸込口４ａ、及び吹出口５ｂは、仕切り６，７によってそれぞれ区画されている。
【００３２】
次に外気及び空気の流れについて説明する。
まず、図２（ｂ）に示すように、大型の換気ユニット（図示せず）によって送り出された外気は、外気ダクト３ａ及び外気通過部３を通過し、給気口３ｂから室内へと供給される。このとき、給気口３ｂから供給される外気は、誘導部３ｃによって向きを変え、室内の下方へと向かう。なお、換気は２４時間連続で行われるため、外気は給気口３ｂから微風状態で供給される。
【００３３】
図２に示すように、室内の空気は、吸込口４ａからケーシング２の開口部２ｃを介して送風部４内のシロッコファン４ｂへと吸込まれる。このシロッコファン４ｂがモータ４ｄによって回転することによって、シロッコファン４ｂの周面から空気が送り出され、ハウジング４ｃによって仕切開口部６ａへと誘導され、この仕切開口部６ａを介して空気通過部５へと送り出される。空気通過部５へと送り込まれた空気は、２つのイオン発生装置５ａの近傍を通過し、その向き及び量をフィン５ｄによって調整され、吹出口５ｂから室内へと均等に吹出される。また、イオン発生装置５ａが作動すると、正イオン及び負イオンが仕切り９の仕切り開口部９ａから供給され、吹出口５ｂから吹出される空気に混ざって室内に吹出される。なお、吹出口５ｂから吹出される空気は、誘導部５ｃによって向きを変え、室内の下方に吹出される。
【００３４】
給気口３ｂから室内へ供給された外気は、吹出口５ｂから吹出される空気に引きずられる状態になり、イオンと共に室内の広範囲に拡散される。また、換気装置１から供給される外気及び空気は、室内を循環した後、吸込口４ａを介して再びケーシング２内に吸込まれる。
【００３５】
以上の第１の実施形態によれば、イオン発生装置５ａによって発生したイオンは、吸込口４ａから吸込まれシロッコファン４ｂによって室内に供給される空気に混ざり、吹出口５ｂから室内に吹出されるため、イオンを室内に充分に拡散することができる。また、外気が供給される給気口３ｂと、イオンが吹出される吹出口５ｂとが別々のため、イオン発生装置５ａ及びシロッコファン４ｂを適宜作動させることにより、効率的に室内の換気及びイオンの供給ができる。
【００３６】
また、ケーシング２内では給気口３ｂから供給される外気と吹出口５ｂから吹出される空気が仕切り６，７によって隔てられている上に、給気口３ｂと吹出口５ｂとが隣接して設けられているため、給気口３ｂから供給された外気は吹出口５ｂから吹出された空気に巻き込まれ、外気が室内に拡散されるとともに外気ダクト３ａ内に負圧が発生するのを防ぐことができる。従って、換気装置１と外気ダクト３ａとの接続を変更しなくてすむ。
【００３７】
さらに、ケーシング２とプレート２ａとは、仕切り６，７によって連結されており、この仕切り６，７は、給気口３ｂ、吸込口４ａ、及び吹出口５ｂをそれぞれ区画している。よって、プレート２ａと仕切り６，７によって、外気及び空気の流れに方向性を与え、室内の気流を安定したものとすることができる。また、ケーシング２の下部でそれぞれの空気が混ざるのを防ぎつつ、給気口３ｂから供給された新鮮な外気と吹出口５ｂから吹出された空気に混ざったイオンとが、ケーシング２の近傍で接することができる。従って、イオンを消滅させずに室内の隅々まで拡散させることができる。
【００３８】
また、室内からは給気口３ｂ、吸込口４ａ、及び吹出口５ｂが見えず、プレート２ａだけが見えるようになるため、天井Ｃの外観を損なうことを防ぐことができる。
【００３９】
さらに、誘導部３ｃ，５ｃによって、給気口３ｂから供給される外気と、吹出口５ｂから吹出される空気及びイオンとを、室内の下方に拡散させることができる。また、フィン５ｄによって、吹出口５ｂから室内に吹出される空気の向き及び量を調整することができる。
【００４０】
また、シロッコファン４ｂによって空気を容易にケーシング２内に吸込むとともに、室内へ吹出すことができる。
【００４１】
さらに、ケーシング２には、該ケーシング２を構成する複数の面に外気ダクト３ａ用の接続口２ｅ，２ｆ，２ｇがそれぞれ設けられているため、外気ダクト３ａを任意の方向からケーシング２に接続することができる。よって、換気装置１を室内の天井Ｃに取付ける際に、外気ダクト３ａを接続し易い接続口２ｇに取付けることによって、外気ダクト３ａの無理のない引きまわしが可能となり、外気ダクト３ａに負担がかかることを防ぐことができる。
【００４２】
（第２の実施形態）
次に、図を参照して本発明に係る換気装置１１の第２の実施形態を詳細に説明する。
【００４３】
図４に示すように、換気装置１１は、建物の全室内の換気を行うセントラル換気システムの一部であり、内気と外気との換気を行う大型の換気ユニット（図示せず）に連結された外気ダクト１３ａを介して外気が送り込まれ、室内の換気を行うものである。この換気装置１１は、室内の天井（図２参照）に設けられており、ケーシング１２と、このケーシング１２に形成され外気を供給する給気口１３ｂと、同じくケーシング１２に形成された吸込口１４ａ及び吹出口１５ｂと、ケーシング１２内に設けられたシロッコファン１４ｂ及びイオン発生装置１５ａ，１５ａと、同じくケーシング１２内に設けられた仕切り１６，１７，１７と、を備えている。
【００４４】
図４に示すように、ケーシング１２は、下面に開口部１２ｂ，１２ｄ，１２ｄが形成された略直方体の筐体であり、その内部は、仕切り１６によってシロッコファン１４ｂが設置された送風部と、仕切り１６，１７，１７によってイオン発生装置１５ａ，１５ａが設置された２つの空気通過部と、同じく仕切り１６，１７，１７によって外気が通過する外気通過部と、に仕切られている。
【００４５】
外気通過部は、仕切り１６，１７，１７によって送風部１４及び空気通過部１５とは完全に隔てられている。また、外気通過部１３を形成するケーシング１２の上面には外気ダクト１３ａが連結され、下面には開口部１２ｂが形成されており、この開口部１２ｂの下方にはケーシング１２とプレート１２ａとの間に給気口１３ｂが形成されている。さらに、給気口１３ｂには、給気口１３ｂから室内へと供給される外気の向きを下方へと変えるための誘導部（図２参照）が設けられている。
【００４６】
送風部を形成するケーシング１２の下面には、シロッコファン１４ｂの直下に図示しない開口部が形成されており、この開口部の下方にはケーシング１２とプレート１２ａとの間に吸込口１４ａが形成されている。また、仕切り１６には２つの空気通過部へと連通する仕切開口部１６ａがそれぞれ形成されている。室内の空気は、吸込口１４ａから開口部を介して送風部内のシロッコファン１４ｂへと吸込まれ、シロッコファン１４ｂによって仕切開口部１６ａを介して空気通過部へと送り出される。
【００４７】
空気通過部を形成するケーシング１２の下面には、開口部１２ｄ，１２ｄがそれぞれ形成されており、この開口部１２ｄ，１２ｄの下方にはケーシング１２とプレート１２ａとの間に、給気口１３ｂの両隣に吹出口１５ｂ，１５ｂがそれぞれ形成されている。また、吹出口１５ｂ，１５ｂには、吹出口１５ｂ，１５ｂから室内へと吹出される空気の向きを下方へと変えるための誘導部（図２参照）がそれぞれ設けられている。
【００４８】
空気通過部の仕切り１７，１７には、イオン発生装置１５ａ，１５ａがそれぞれ設置されており、イオン発生装置１５ａ，１５ａから発生した正イオン及び負イオンは、開口部１６ａから吹出口１５ｂ，１５ｂへと流れる空気に混ざり、吹出口１５ｂ，１５ｂへと向かう。このイオン発生装置１５ａ，１５ａについては、第１の実施形態と同様であるため、その説明については省略する。
【００４９】
なお、ケーシング１２とプレート１２ａとの間に形成された給気口１３ｂ、吸込口１４ａ、及び吹出口１５ｂ，１５ｂは、仕切り１６，１７，１７によってそれぞれ区画されている。
【００５０】
次に外気及び空気の流れについて説明する。
まず、大型の換気ユニット（図示せず）によって送り出された外気は、外気ダクト１３ａ及び外気通過部を通過し、給気口１３ｂから室内へと供給される。このとき、給気口１３ｂから供給される外気は、誘導部（図２参照）によって向きを変え、室内の下方へと向かう。なお、換気は２４時間連続で行われるため、外気は給気口１３ｂから微風状態で供給される。
【００５１】
吸込口１４ａからケーシング１２の送風部内のシロッコファン１４ｂへと吸込まれる。このシロッコファン１４ｂがモータ１４ｄによって回転することによって、シロッコファン１４ｂの周面から空気が送り出され、仕切開口部１６ａを介して空気通過部へと送り出される。空気通過部へと送り込まれた空気は、イオン発生装置１５ａ，１５ａの近傍を通過し、吹出口１５ｂ，１５ｂから室内へと吹出される。またイオン発生装置１５ａ，１５ａが作動すると、イオンがイオン発生装置１５ａ，１５ａの側面から供給され、吹出口１５ｂ，１５ｂから吹出される空気に混ざって室内に吹出される。なお、吹出口１５ｂ，１５ｂから吹出される空気は、誘導部（図２参照）によって向きを変え、室内の下方に吹出される。
【００５２】
給気口１３ｂから室内へ供給された外気は、吹出口１５ｂ，１５ｂから吹出される空気に引きずられる状態になり、イオンと共に室内の広範囲に拡散される。また、換気装置１１から供給される外気及び空気は、室内を循環した後、吸込口１４ａを介して再びケーシング１２内に吸込まれる。
【００５３】
以上の第２の実施形態によれば、イオン発生装置１５ａ，１５ａによって発生したイオンは、吸込口１４ａから吸込まれシロッコファン１４ｂによって室内に供給される空気に混ざり、吹出口１５ｂ，１５ｂから室内に吹出されるため、イオンを室内に充分に拡散することができる。また、外気が供給される給気口１３ｂと、イオンが吹出される吹出口１５ｂ，１５ｂとが別々のため、イオン発生装置１５ａ及びシロッコファン１４ｂを作動させることにより、効率的に室内の換気及びイオンの供給ができる。
【００５４】
また、ケーシング１２内では給気口１３ｂから供給される外気と吹出口１５ｂ，１５ｂから吹出される空気が仕切り１６，１７，１７によって隔てられている上に、給気口１３ｂが吹出口１５ｂ，１５ｂに挟まれる状態で設けられているため、給気口１３ｂから供給された外気は吹出口１５ｂ，１５ｂから吹出された空気に巻き込まれ、外気が室内に拡散されるとともに外気ダクト１３ａ内に負圧が発生するのを防ぐことができる。従って、換気装置１１と外気ダクト１３ａとの接続を変更しなくてすむ。
【００５５】
さらに、ケーシング１２とプレート１２ａとは、仕切り１６，１７，１７によって連結されており、この仕切り１６，１７，１７は、給気口１３ｂ、吸込口１４ａ、及び吹出口１５ｂをそれぞれ区画している。よって、プレート１２ａと仕切り１６，１７，１７によって、外気及び空気の流れに方向性を与え、室内の気流を安定したものとすることができる。また、ケーシング１２の下部でそれぞれの空気が混ざるのを防ぎつつ、給気口１３ｂから供給された新鮮な外気と吹出口１５ｂ，１５ｂから吹出された空気に混ざったイオンとが、ケーシング１２の近傍で接することができる。従って、イオンを、消滅させずに室内の隅々まで拡散させることができる。
【００５６】
また、プレート１２ａ、誘導部（図２参照）、シロッコファン１４ｂによって、第１の形態と同様の効果を得ることができる。
【図面の簡単な説明】
【００５７】
【図１】本発明に係る換気装置の第１の実施形態を示す斜視図である。
【図２】第１の実施形態の換気装置を示すもので、（ａ）が図１のＡ線における断面図であり、（ｂ）が図１のＢ線の断面図である。
【図３】本発明に係る換気装置の第１の実施形態を示すケーシングの斜視図である。
【図４】本発明に係る換気装置の第２の実施形態を示す斜視図である。
【符号の説明】
【００５８】
１，１１  換気装置
２，１２  ケーシング
２ａ，１２ａ  プレート
３ａ，１３ａ  外気ダクト
３ｂ，１３ｂ  給気口
３ｃ，５ｃ，１３ｃ，１５ｃ  誘導部
４ａ，１４ａ  吸込口
４ｂ，１４ｂ  シロッコファン
５ａ，１５ａ  イオン発生装置
５ｂ，１５ｂ  吹出口
５ｄ  フィン
Ｃ  天井
【図１】
2006322619.tif 000003
【図２】
2006322619.tif 000004
【図３】
2006322619.tif 000005
【図４】
2006322619.tif 000006